【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置であって、
前記情報処理装置から、印刷データを受け付ける印刷データ受付手段と、
前記印刷データ受付手段によって受け付けられた印刷データを前記印刷データ記憶手段に格納する格納手段と、
ユーザを識別するユーザ識別情報を受け付けるユーザ識別情報受付手段と、
前記ユーザ識別情報受付手段で受け付けたユーザ識別情報に対応する印刷権限情報を前記外部装置から取得する印刷権限情報取得手段と、
前記印刷権限情報に従って、前記ユーザ識別情報に対応するユーザにカラー印刷権限があるか否かを判定するカラー印刷権限判定手段と、
前記印刷データのカラー解析をする印刷データ解析手段と、
前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信手段と
を備えることを特徴とするネットワークインタフェース装置。
【請求項２】
前記カラー印刷権限判定手段によってカラー印刷権限がないと判定された場合に、前記印刷データ解析手段で印刷データのカラー解析をするか否かを判定するカラー解析判定手段を更に備え、
前記印刷データ解析手段は、前記カラー解析判定手段でカラー解析をすると判定された場合に、前記印刷データのカラー解析をし、
前記印刷データ送信手段は、前記カラー解析判定手段でカラー解析をしないと判定された場合に、前記印刷データ解析手段でカラー解析をすることなく、前記ユーザ識別情報に対応する印刷データの管理情報に含まれるカラー／モノクロ設定情報をモノクロに変更して印刷データの送信をすることを特徴とする請求項１に記載のネットワークインタフェース装置。
【請求項３】
前記カラー解析判定手段は、前記ユーザごとに予め設定されたカラー解析をするか、強制的にモノクロに変更するかの設定情報に基づいて判定することを特徴とする請求項２に記載のネットワークインタフェース装置。
【請求項４】
印刷データ内の前記カラー／モノクロ設定情報の位置を示すインデックスを取得するインデックス取得手段を更に備え、
前記格納手段は、前記印刷データをブロックごとに暗号化して格納し、
前記印刷データ送信手段は、ブロックごとに暗号化された印刷データを復号化して、前記インデックス取得手段によって取得したインデックスに基づいて、カラー／モノクロ設定情報をモノクロに変更することを特徴とする請求項１乃至３のいずれか１項に記載のネットワークインタフェース装置。
【請求項５】
前記印刷データ解析手段は、前記ユーザ識別情報受付手段でのユーザ識別情報の受付に応じて、当該ユーザ識別情報に対応する印刷データのカラー解析をすることを特徴とする請求項１乃至４のいずれか１項に記載のネットワークインタフェース装置。
【請求項６】
前記印刷データ解析手段は、前記印刷データ受付手段での印刷データの受け付けに応じて印刷データのカラー解析をし、
前記格納手段は、前記印刷データのカラー解析後に当該印刷データを前記印刷データ記憶手段に格納することを特徴とする請求項１乃至５のいずれか１項に記載のネットワークインタフェース装置。
【請求項７】
前記印刷データ解析手段で印刷データのカラー解析中に、前記ユーザ識別情報受付手段でカラー印刷権限のあるユーザのユーザ識別情報を受付けた場合、前記カラー解析を中断するカラー解析中断手段
を更に備え、
前記格納手段は、前記カラー解析中断手段でカラー解析が中断された場合に、前記カラー解析をする印刷データのカラー解析をすることなく前記印刷データ記憶手段に格納することを特徴とする請求項１乃至５のいずれか１項に記載のネットワークインタフェース装置。
【請求項８】
画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置の制御方法であって、
前記ネットワークインタフェースが、
前記情報処理装置から、印刷データを受け付ける印刷データ受付工程と、
前記印刷データ受付工程によって受け付けられた印刷データを前記印刷データ記憶手段に格納する格納工程と、
ユーザを識別するユーザ識別情報を受け付けるユーザ識別情報受付工程と、
前記ユーザ識別情報受付工程で受け付けたユーザ識別情報に対応する印刷権限情報を前記外部装置から取得する印刷権限情報取得工程と、
前記印刷権限情報に従って、前記ユーザ識別情報に対応するユーザにカラー印刷権限があるか否かを判定するカラー印刷権限判定工程と、
前記印刷データのカラー解析をする印刷データ解析工程と、
前記カラー印刷権限判定工程で前記ユーザ識別情報に対応するユーザにカラー印刷権限がないと判定され、且つ、前記ユーザ識別情報に対応する印刷データが印刷データ解析工程でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定工程でカラー印刷権限がないと判定され、且つ、印刷データ解析工程で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信工程と
を実行することを特徴とするネットワークインタフェース装置の制御方法。
【請求項９】
画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置で実行可能なプログラムであって、
前記ネットワークインタフェース装置を
前記情報処理装置から、印刷データを受け付ける印刷データ受付手段と、
前記印刷データ受付手段によって受け付けられた印刷データを前記印刷データ記憶手段に格納する格納手段と、
ユーザを識別するユーザ識別情報を受け付けるユーザ識別情報受付手段と、
前記ユーザ識別情報受付手段で受け付けたユーザ識別情報に対応する印刷権限情報を前記外部装置から取得する印刷権限情報取得手段と、
前記印刷権限情報に従って、前記ユーザ識別情報に対応するユーザにカラー印刷権限があるか否かを判定するカラー印刷権限判定手段と、
前記印刷データのカラー解析をする印刷データ解析手段と、
前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信手段
として機能させることを特徴とするプログラム。
【請求項１０】
カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置であって、
前記情報処理装置から、印刷データを受け付ける印刷データ受付手段と、
前記印刷データ受付手段によって受け付けられた印刷データを前記印刷データ記憶手段に格納する格納手段と、
ユーザを識別するユーザ識別情報を受け付けるユーザ識別情報受付手段と、
前記ユーザ識別情報受付手段で受け付けたユーザ識別情報に対応する印刷権限情報を前記外部装置から取得する印刷権限情報取得手段と、
前記印刷権限情報に従って、前記ユーザ識別情報に対応するユーザにカラー印刷権限があるか否かを判定するカラー印刷権限判定手段と、
前記印刷データのカラー解析をする印刷データ解析手段と、
前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力手段と
を備えることを特徴とする画像形成装置。
【請求項１１】
カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置の制御方法であって、
前記画像形成装置が、
前記情報処理装置から、印刷データを受け付ける印刷データ受付工程と、
前記印刷データ受付工程によって受け付けられた印刷データを前記印刷データ記憶手段程に格納する格納工程と、
ユーザを識別するユーザ識別情報を受け付けるユーザ識別情報受付工程と、
前記ユーザ識別情報受付工程で受け付けたユーザ識別情報に対応する印刷権限情報を前記外部装置から取得する印刷権限情報取得工程と、
前記印刷権限情報に従って、前記ユーザ識別情報に対応するユーザにカラー印刷権限があるか否かを判定するカラー印刷権限判定工程と、
前記印刷データのカラー解析をする印刷データ解析工程と、
前記カラー印刷権限判定工程で前記ユーザ識別情報に対応するユーザにカラー印刷権限がないと判定され、且つ、前記ユーザ識別情報に対応する印刷データが印刷データ解析工程でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定工程でカラー印刷権限がないと判定され、且つ、印刷データ解析工程で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力工程と
を実行することを特徴とする画像形成装置の制御方法。
【請求項１２】
カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置で実行可能なプログラムであって、
前記画像形成装置を、
前記情報処理装置から、印刷データを受け付ける印刷データ受付手段と、
前記印刷データ受付手段によって受け付けられた印刷データを前記印刷データ記憶手段に格納する格納手段と、
ユーザを識別するユーザ識別情報を受け付けるユーザ識別情報受付手段と、
前記ユーザ識別情報受付手段で受け付けたユーザ識別情報に対応する印刷権限情報を前記外部装置から取得する印刷権限情報取得手段と、
前記印刷権限情報に従って、前記ユーザ識別情報に対応するユーザにカラー印刷権限があるか否かを判定するカラー印刷権限判定手段と、
前記印刷データのカラー解析をする印刷データ解析手段と、
前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力手段
として機能させることを特徴とするプログラム。
【手続補正２】
【補正対象書類名】明細書
【補正対象項目名】発明の名称
【補正方法】変更
【補正の内容】
【発明の名称】ネットワークインタフェース装置、画像形成装置、およびその制御方法、プログラム
【手続補正３】
【補正対象書類名】明細書
【補正対象項目名】０００１
【補正方法】変更
【補正の内容】
【０００１】
本発明は、印刷データを生成、送信する情報処理装置と通信可能に接続される画像形成装置、画像形成装置に設けられるネットワークインタフェース装置、およびその制御方法、プログラムに関する。
【手続補正４】
【補正対象書類名】明細書
【補正対象項目名】００１０
【補正方法】変更
【補正の内容】
【００１０】
前述した目的を達成するために第１の発明は、画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置であって、前記情報処理装置から、印刷データを受け付ける印刷データ受付手段と、前記印刷データ受付手段によって受け付けられた印刷データを前記印刷データ記憶手段に格納する格納手段と、ユーザを識別するユーザ識別情報を受け付けるユーザ識別情報受付手段と、前記ユーザ識別情報受付手段で受け付けたユーザ識別情報に対応する印刷権限情報を前記外部装置から取得する印刷権限情報取得手段と、前記印刷権限情報に従って、前記ユーザ識別情報に対応するユーザにカラー印刷権限があるか否かを判定するカラー印刷権限判定手段と、前記印刷データのカラー解析をする印刷データ解析手段と、前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信手段とを備えることを特徴とする。第１の発明によって、権限に従ってカラー印刷を制限して強制的にモノクロ印刷をすることで生じる画質劣化を回避できる仕組みを提供することができる。
【手続補正５】
【補正対象書類名】明細書
【補正対象項目名】００１１
【補正方法】変更
【補正の内容】
【００１１】
また、前記カラー印刷権限判定手段によってカラー印刷権限がないと判定された場合に、前記印刷データ解析手段で印刷データのカラー解析をするか否かを判定するカラー解析判定手段を更に備え、前記印刷データ解析手段は、前記カラー解析判定手段でカラー解析をすると判定された場合に、前記印刷データのカラー解析をし、前記印刷データ送信手段は、前記カラー解析判定手段でカラー解析をしないと判定された場合に、前記印刷データ解析手段でカラー解析をすることなく、前記ユーザ識別情報に対応する印刷データの管理情報に含まれるカラー／モノクロ設定情報をモノクロに変更して印刷データの送信をすることを特徴とする。
【手続補正６】
【補正対象書類名】明細書
【補正対象項目名】００１２
【補正方法】変更
【補正の内容】
【００１２】
また、前記カラー解析判定手段は、前記ユーザごとに予め設定されたカラー解析をするか、強制的にモノクロに変更するかの設定情報に基づいて判定することを特徴とする。
【手続補正７】
【補正対象書類名】明細書
【補正対象項目名】００１３
【補正方法】変更
【補正の内容】
【００１３】
また、印刷データ内の前記カラー／モノクロ設定情報の位置を示すインデックスを取得するインデックス取得手段を更に備え、前記格納手段は、前記印刷データをブロックごとに暗号化して格納し、前記印刷データ送信手段は、ブロックごとに暗号化された印刷データを復号化して、前記インデックス取得手段によって取得したインデックスに基づいて、カラー／モノクロ設定情報をモノクロに変更することを特徴とする。
【手続補正８】
【補正対象書類名】明細書
【補正対象項目名】００１４
【補正方法】変更
【補正の内容】
【００１４】
また、前記印刷データ解析手段は、前記ユーザ識別情報受付手段でのユーザ識別情報の受付に応じて、当該ユーザ識別情報に対応する印刷データのカラー解析をすることを特徴とする。
【手続補正９】
【補正対象書類名】明細書
【補正対象項目名】００１５
【補正方法】変更
【補正の内容】
【００１５】
また、前記印刷データ解析手段は、前記印刷データ受付手段での印刷データの受け付けに応じて印刷データのカラー解析をし、前記格納手段は、前記印刷データのカラー解析後に当該印刷データを前記印刷データ記憶手段に格納することを特徴とする。
【手続補正１０】
【補正対象書類名】明細書
【補正対象項目名】００１６
【補正方法】変更
【補正の内容】
【００１６】
また、前記印刷データ解析手段で印刷データのカラー解析中に、前記ユーザ識別情報受付手段でカラー印刷権限のあるユーザのユーザ識別情報を受付けた場合、前記カラー解析を中断するカラー解析中断手段を更に備え、前記格納手段は、前記カラー解析中断手段でカラー解析が中断された場合に、前記カラー解析をする印刷データのカラー解析をすることなく前記印刷データ記憶手段に格納することを特徴とする。
【手続補正１１】
【補正対象書類名】明細書
【補正対象項目名】００１７
【補正方法】変更
【補正の内容】
【００１７】
第２の発明は、画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置の制御方法であって、前記ネットワークインタフェースが、前記情報処理装置から、印刷データを受け付ける印刷データ受付工程と、前記印刷データ受付工程によって受け付けられた印刷データを前記印刷データ記憶手段に格納する格納工程と、ユーザを識別するユーザ識別情報を受け付けるユーザ識別情報受付工程と、前記ユーザ識別情報受付工程で受け付けたユーザ識別情報に対応する印刷権限情報を前記外部装置から取得する印刷権限情報取得工程と、前記印刷権限情報に従って、前記ユーザ識別情報に対応するユーザにカラー印刷権限があるか否かを判定するカラー印刷権限判定工程と、前記印刷データのカラー解析をする印刷データ解析工程と、前記カラー印刷権限判定工程で前記ユーザ識別情報に対応するユーザにカラー印刷権限がないと判定され、且つ、前記ユーザ識別情報に対応する印刷データが印刷データ解析工程でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定工程でカラー印刷権限がないと判定され、且つ、印刷データ解析工程で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信工程とを実行することを特徴とする。
【手続補正１２】
【補正対象書類名】明細書
【補正対象項目名】００１８
【補正方法】変更
【補正の内容】
【００１８】
第３の発明は、画像形成装置に接続され、カラー／モノクロ設定情報を含む印刷データの管理情報と印刷データを送信する情報処理装置と、印刷権限情報を記憶する外部装置と通信可能な印刷データを記憶する印刷データ記憶手段と接続されるネットワークインタフェース装置で実行可能なプログラムであって、前記ネットワークインタフェース装置を前記情報処理装置から、印刷データを受け付ける印刷データ受付手段と、前記印刷データ受付手段によって受け付けられた印刷データを前記印刷データ記憶手段に格納する格納手段と、ユーザを識別するユーザ識別情報を受け付けるユーザ識別情報受付手段と、前記ユーザ識別情報受付手段で受け付けたユーザ識別情報に対応する印刷権限情報を前記外部装置から取得する印刷権限情報取得手段と、前記印刷権限情報に従って、前記ユーザ識別情報に対応するユーザにカラー印刷権限があるか否かを判定するカラー印刷権限判定手段と、前記印刷データのカラー解析をする印刷データ解析手段と、前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを前記画像形成装置に送信し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの送信をするする印刷データ送信手段として機能させることを特徴とする。
【手続補正１３】
【補正対象書類名】明細書
【補正対象項目名】００１９
【補正方法】変更
【補正の内容】
【００１９】
第４の発明は、カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置であって、前記情報処理装置から、印刷データを受け付ける印刷データ受付手段と、前記印刷データ受付手段によって受け付けられた印刷データを前記印刷データ記憶手段に格納する格納手段と、ユーザを識別するユーザ識別情報を受け付けるユーザ識別情報受付手段と、前記ユーザ識別情報受付手段で受け付けたユーザ識別情報に対応する印刷権限情報を前記外部装置から取得する印刷権限情報取得手段と、前記印刷権限情報に従って、前記ユーザ識別情報に対応するユーザにカラー印刷権限があるか否かを判定するカラー印刷権限判定手段と、前記印刷データのカラー解析をする印刷データ解析手段と、前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力手段とを備えることを特徴とする。
【手続補正１４】
【補正対象書類名】明細書
【補正対象項目名】００２０
【補正方法】変更
【補正の内容】
【００２０】
第５の発明は、カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置の制御方法であって、前記画像形成装置が、前記情報処理装置から、印刷データを受け付ける印刷データ受付工程と、前記印刷データ受付工程によって受け付けられた印刷データを前記印刷データ記憶手段程に格納する格納工程と、ユーザを識別するユーザ識別情報を受け付けるユーザ識別情報受付工程と、前記ユーザ識別情報受付工程で受け付けたユーザ識別情報に対応する印刷権限情報を前記外部装置から取得する印刷権限情報取得工程と、前記印刷権限情報に従って、前記ユーザ識別情報に対応するユーザにカラー印刷権限があるか否かを判定するカラー印刷権限判定工程と、前記印刷データのカラー解析をする印刷データ解析工程と、前記カラー印刷権限判定工程で前記ユーザ識別情報に対応するユーザにカラー印刷権限がないと判定され、且つ、前記ユーザ識別情報に対応する印刷データが印刷データ解析工程でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定工程でカラー印刷権限がないと判定され、且つ、印刷データ解析工程で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力工程とを実行することを特徴とする。
【手続補正１５】
【補正対象書類名】明細書
【補正対象項目名】００２１
【補正方法】変更
【補正の内容】
【００２１】
第６の発明は、カラー／モノクロ設定情報を含む印刷データの管理情報と印刷データを送信する情報処理装置と、印刷権限情報を記憶する外部装置と通信可能な印刷データを記憶する印刷データ記憶手段を有する画像形成装置で実行可能なプログラムであって、前記画像形成装置を、前記情報処理装置から、印刷データを受け付ける印刷データ受付手段と、前記印刷データ受付手段によって受け付けられた印刷データを前記印刷データ記憶手段に格納する格納手段と、ユーザを識別するユーザ識別情報を受け付けるユーザ識別情報受付手段と、前記ユーザ識別情報受付手段で受け付けたユーザ識別情報に対応する印刷権限情報を前記外部装置から取得する印刷権限情報取得手段と、前記印刷権限情報に従って、前記ユーザ識別情報に対応するユーザにカラー印刷権限があるか否かを判定するカラー印刷権限判定手段と、前記印刷データのカラー解析をする印刷データ解析手段と、前記カラー印刷権限判定手段で前記ユーザ識別情報に対応するユーザにカラー印刷権限がないと判定され、且つ、前記ユーザ識別情報に対応する印刷データが印刷データ解析手段でカラーデータを含まないと判定された場合に、強制的にモノクロ印刷されないように前記印刷データの管理情報に含まれるカラー／モノクロ設定情報をモノクロに変更せず前記ユーザ識別情報に対応する印刷データを出力し、前記カラー印刷権限判定手段でカラー印刷権限がないと判定され、且つ、印刷データ解析手段で前記印刷データがカラーデータを含むと判定された場合に、強制的にモノクロ印刷させるように、前記印刷データの管理情報に含まれるカラー／モノクロ設定情報をモノクロに変更して印刷データの出力をするする印刷データ出力手段として機能させることを特徴とする。